(57)【要約】【課題】実機に表示する画面データを用いて、簡単な作業によって仕様書として用いる客先承認用画面図を作成することができる画面図作成装置を提供する。【解決手段】制御監視装置の運転状態を表示する画面表示装置は、監視対象となるプラントからの入力値に応じて表示画面が変化するものであり、オフライン時には、プラントデータ入力がないため、実機投入の画面データだけでは表示画面が変化しない。そこで、画面図作成装置では、画面表示装置において仕様書に用いる画面図変化例を表示させるために、画面データとの差分データよりなり、プラントデータの代わりとなる表示設定データ２２ａを作成しておき、表示設定データ２２ａを画面表示処理部１の事象データ処理部１３で解析し、画面表示出力データ２３に反映させるように構成した。【選択図】図１
2010165297.tif 000002
【特許請求の範囲】
【請求項１】
画面表示装置に第一の画面図を表示するための画面データを記憶する画面データ記憶部、上記画面表示装置に第二の画面図を表示するための表示設定データを記憶する表示設定データ記憶部、上記画面データと上記表示設定データを解析し、上記画面表示装置に上記第一の画面図または上記第二の画面図のデータを出力する画面表示処理部を備え、上記表示設定データは、上記第一の画面図と上記第二の画面図の差分データによって構成されたことを特徴とする画面図作成装置。
【請求項２】
上記第一の画面図または上記第二の画面図を上記画面表示装置に切り替えて表示させるための画面選択手段を備えたことを特徴とする請求項１記載の画面図作成装置。
【請求項３】
上記第二の画面図に状態コメントを付加するための状態コメント付加手段を設けたことを特徴とする請求項１記載の画面図作成装置。
【請求項４】
上記第一の画面図または上記第二の画面図のデータをプリンタに出力する画面データイメージ出力手段を備えたことを特徴とする請求項１記載の画面図作成装置。
【請求項５】
上記第一の画面図は、オンラインで入力されるプラントデータが反映される画面図であり、上記第二の画面図は、客先承認図に用いる画面図であることを特徴とする請求項１〜４のいずれか一項記載の画面図作成装置。
【請求項６】
請求項１〜５のいずれか一項記載の画面図作成装置を搭載したことを特徴とする画面表示装置。
【発明の詳細な説明】
【技術分野】
【０００１】
本発明は、画面表示装置に表示する画面図作成を行うための画面図作成装置に関するものであり、また画面図作成装置によって作成した画面図を表示する画面表示装置に関するものである。
【背景技術】
【０００２】
従来の画面表示装置における、画面データの作成方式では、画面データは、全体として階層的に構成されているが、画面の表示ロジックは実機で表示するための設定データで構成されている。このような構成では、実機の画面表示に必要な入力データがオンラインで入力されない限り、表示状態はデフォルトの値で表示されることになる。客先に提出するための承認用の仕様書に必要となる各種データ設定は、個別に画面データを生成する必要があるという問題があった（例えば、特許文献１）。
【先行技術文献】
【特許文献】
【０００３】
【特許文献１】特開平９−２６９８９３号公報
【発明の概要】
【発明が解決しようとする課題】
【０００４】
従来のシステムでは、画面データは、実機で表示するためのロジックをあらわす設定データにより構成されているため、客先に提出する承認データとしては別途画面データを生成して、表示することにより、承認データとしての画面表示図を作成しなければならない煩わしさがあり、画面データを管理する手間がかかっていた。
【０００５】
この発明は、上記のような課題を解決するためになされたもので、客先承認用となる画面図と実機に投入する画面データの作成時間削減とデータ流用性の向上を図ることを目的としている。
【課題を解決するための手段】
【０００６】
この発明に係わる画面図作成装置は、画面表示装置に第一の画面図を表示するための画面データを記憶する画面データ記憶部、上記画面表示装置に第二の画面図を表示するための表示設定データを記憶する表示設定データ記憶部、上記画面データと上記表示設定データを解析し、上記画面表示装置に上記第一の画面図または上記第二の画面図のデータを出力する画面表示処理部を備え、上記表示設定データは、上記第一の画面図と上記第二の画面図の差分データによって構成されたものである。
【０００７】
また、この発明に係わる画面表示装置は、上記の画面図作成装置を搭載したものである。
【発明の効果】
【０００８】
この発明の画面図作成装置によれば、第二の画面図を画面表示装置に表示する際に、第一の画面図に表示設定データをあてはめた画面図として表示することが可能となる。
【０００９】
また、この発明の画面表示装置によれば、上記のように、表示設定データで設定されたデータを反映させて第二の画面図を表示できるため、第一の画面図と第二の画面図との差分データを手作業によって入力し直して表示する場合よりも正確に短時間で表示することができるという効果がある。
【図面の簡単な説明】
【００１０】
【図１】この発明の実施の形態１の画面図作成装置の構成図である。
【図２】この発明の実施の形態１での表示画面例を示す画面図である。
【図３】この発明の実施の形態１の画面データと表示設定データの対応図である。
【図４】この発明の実施の形態１の画面図作成フロー図である。
【図５】この発明の実施の形態２の画面図作成装置の構成図である。
【図６】この発明の実施の形態２での表示画面例を示す選択画面図である。
【図７】この発明の実施の形態２の画面図作成フロー図である。
【図８】この発明の実施の形態３での表示画面例を示す画面図である。
【図９】この発明の実施の形態３の画面図作成装置の構成図である。
【図１０】この発明の実施の形態３の画面図作成フロー図である。
【発明を実施するための最良の形態】
【００１１】
実施の形態１．
以下、本発明の実施の形態１である画面図作成装置について、図１〜図４を用いて説明する。図１は、画面図作成装置の機能構成図であり、図２は、実機で表示する監視対象プラントの二つの動作状態を示す画面図例であり、画面図作成装置によって作成することが可能な画面図例である。図３は、モニターに表示される画面図例と、画面図作成装置が記憶する画面データおよび表示設定データを例示したデータ構成図であり、図４は、画面図作成装置によって画面図を作成する場合のフロー図を、実機による動作フロー図と対応させて示している。
【００１２】
ここで、実機とは、例えば、発電所など（公共、工場分野を含む。）のプラント監視制御システムに含まれる制御監視装置である。本発明の画面図作成装置は、制御監視装置のシステム提供者（メーカ）側が客先への承認図（例えば仕様書。またはデモンストレーションに用いるための説明図。）を作成するための装置であり、本発明の画面表示装置は、画面図作成装置によって作成した画面図を表示する装置である。
【００１３】
図１に、この発明の画面図作成装置の機能構成を示す。画面図作成装置は、主解析部となる画面表示処理部１と、画面図を表示させるための記憶部である画面データ記憶部２１と表示設定データ記憶部２２によって主に構成されている。画面データ記憶部２１に記憶された画面データ２１ａは、プラントデータ等のオンライン入力される値によって変化しない固定画となる部分と、プラントデータの入力値に応じて変化する可変画の部分を有しており、実機に投入されるデータと共通のものを用いることができる。
【００１４】
この画面図作成装置は、プラントに接続する前の状態、つまりオフラインで用いられるため、プラントデータにはデフォルトの値が当てはまり、プラントデータが変化した場合の画面図を得る場合は、プラントデータが様々に変化した場合を示す（オンライン時を想定した）表示設定データ２２ａを、あらかじめ表示設定データ記憶部２２に記憶させておき、表示設定データ２２ａを事象データ処理部１３で解析して、可変画に反映させるように構成されている。また、画面表示処理部１は、画面データ２１ａの固定画部分を解析する固定画表示データ解析手段１１と、可変画部分で解析する可変画処理部１２を備えており、これらの解析部は、実機と共通の機能構成となっている。
【００１５】
上述した可変画処理部１２は、オンライン時にプラントデータが入力され、プラントデータの入力値によって、画面表示が変化する可変画表示部品を表示するための可変画ロジック解析手段１２ａと、その可変画ロジック解析手段１２ａにおいてロジックを解析した結果を入力し、可変画表示部品を表示するためのデータを解析する可変画表示データ解析手段１２ｂを含む構成である。
【００１６】
また、実機にはない構成である事象データ処理部１３は、状態を表示するために部品の可変表示属性に設定するデータ群（表示設定データ２２ａ）を参照して事象データを解析する事象データ解析手段１３ａとその結果により事象データを表示属性に設定する事象データ反映手段１３ｂを含む構成である。
これらの処理部により、画面データ２１ａと状態表示設定データ２２ａを反映した画面表示データ２３が生成される。なお、図１の構成図において矢印によってデータの授受を示しているが、矢印で示されていない部分においてもデータ授受があり、図面の煩雑化を避けるために略記しているものである。
【００１７】
さらに、データ出力部１４は、上述した処理部において生成された画面表示出力データ２３をモニター（画面表示装置）３１へ表示する画面出力手段１４ａと、ドキュメント印刷するための画面データイメージ出力手段１５を含む構成である。以上の構成要素を本発明の画面図作成装置は含んでいる。
【００１８】
図２は、モニター３１において作業者が確認することができる画面図の例である。
図２（ａ）は、実機にオンライン入力されたプラントデータが正常である場合に、実機において確認することが可能な画面図例であり、図２（ｂ）は、プラントデータが異常である場合に、実機において確認することが可能な画面図例であり、これらの画面図は、オフライン時に本発明の画面図作成装置によって表示確認できるものである。
【００１９】
この本発明の画面図作成装置では、図２において示した実機で得られる画面図を、プラントデータをオンライン入力することなく得られるように、実機の正常状態を示す画面図を、画面データ２１ａを解析することで、オフライン時のデフォルトの値が可変画処理部１２で確認できる（オンラインでない）場合に得られるように構成しており、画面データ２１ａを読み込み参照して得られる画面図が実機投入の画面図（第一の画面図）に相当している。一方、実機にオンラインでプラントデータが入力される場合は、可変画処理部１２においてプラントデータと画面データ２１ａを解析することによって、正常状態、異常状態等の全種類の画面図が表示可能であり、いずれの画面を表示するかはプラントデータによって決められることは言うまでもない。
【００２０】
また、同様に、本発明の画面図作成装置では、オフライン時に、実機の異常状態を示す画面図を、プラントデータに相当する値を表示設定データ２２ａから得られるように構成し、表示設定データ２２ａを取り込み、事象データ処理部１３において解析し、様々な動作状態（軽度異常、高度異常等の状態）での画面図を表示することを可能としており、画面データ２１ａに加え、表示設定データ２２ａを読み込み参照して得られる画面図が承認用画面図（第二の画面図）に相当している。
なお、オフラインでデフォルト値によって正常状態の画面を得られない構成とした場合、表示設定データ２２ａに正常状態のデータを入力しておき、これを解析することによって正常状態の画面図を得られるように構成することで、仕様書に必要な承認用画面図を揃えることが可能となる。
【００２１】
なお、図２中のＤ１〜Ｄ３の部品が可変画の例であり、Ｄ１の部品では、制御対象となる装置の図表（色による表示を含む。）が示され、Ｄ２の部品では、制御対象となる装置の動作状態を文字によって表示し、Ｄ３の部品では、目盛りが０から１００まで表示されたグラフ上に、プラントデータを反映した値が矢印で表示されている。その他、プラントデータによっては変化しない枠体の構成や図表の目盛り等の表示など共通の表示部が固定画である。また、複数の制御監視対象装置がある場合は、固定画１、固定画２というように、複数の種類の固定画を用いることも可能である。
【００２２】
図３（ａ）は、モニター３１に表示される画面図３１ｃの例を示しており、図３（ｂ）は、図３（ａ）に対応した画面データ２１ａと表示設定データ２２ａの部分的な構成図を示している。図３（ａ）の画面図例では、ＩＤ１〜ＩＤ４の部品が表示されており、ＩＤ１〜３の部品については上述した部品と同様であり、ＩＤ４の部品は、画面タイトルとなる文字列「プラント１の状態画面」によって構成されている。
【００２３】
図３（ｂ）に示すように、画面図作成装置に投入され、実機にも投入される共通のデータである画面データ２１ａは、例えば図３（ａ）の画面図上に表示される部品群（ＩＤ１〜４の部品。）から構成される。個々の部品は、ユニークなＩＤである部品ＩＤを持ち、部品には名称という属性があり、文字列で部品識別が可能となる名前を指定する。また、複数の描画コマンド列があり、各描画コマンドには、表示するための表示属性がある。
【００２４】
例えば、部品ＩＤ＝２の部品は、四角形と文字列を表示するコマンドからなり、四角形は、表示基点の座標と幅、高さなどのサイズ属性、塗りつぶし色などの色属性などの複数属性と属性に指定される値からなる。
また、ＩＤ＝４の部品は、部品名称が画面タイトル部品であり、描画コマンド群が、文字列で「プラント１の状態画面」となっている。
【００２５】
上述したように、部品には可変画と固定画あり、図３に記載の例では、部品ＩＤ＝４の画面タイトル表示部品は固定画であり、部品ＩＤが２の状態表示部品は可変画に分類されることが示されている。
画面タイトル部品は、描画コマンド群の属性が固定であり、状態表示部品の描画コマンドの属性にはＳＩＧＮＡＬで示されるプラントデータの値により表示属性が変化するロジックが含まれている。
ＳＩＧＮＡＬが示すプラントデータ値はオンラインで値が授与されるため、オフラインでは、デフォルトの値（例えば、デジタル値であれば０であるなど）が常に指定される。
図３（ａ）の部品ＩＤ＝２の部品は、常に塗りつぶし色が所定の色（例えば緑）で正常の文字列が表示される。
【００２６】
ここで、上述したように、客先承認図では、正常時の表示画面図と異常時の画面表示図が必要となるが、異常時の画面表示およびイメージ出力のために、可変となる属性の値に対して、個々に設定データを指定して保存したデータが表示設定データ２２ａであり、画面データ２１ａとの差分によりなるデータである。
図３（ｂ）に示すように、部品ＩＤ＝２の場合は、表示設定データ２２ａにおいて、状態設定コマンド群として、四角形の塗りつぶしを所定の色（例えば赤）に指定、文字列として、高度異常を指定している。両者とも画面データ２１ａでのＳＩＧＮＡＬが１の時、すなわち異常状態での表示設定である。このように、表示設定データ２２ａは、画面データ２１ａとの差分のみのデータであり、共通的なデータは画面データ２１ａに集約するよう構成される。
【００２７】
次に、この実施の形態１の画面図作成装置を用いた仕様書（承認用画面図）作成要領を、図４（ａ）の仕様書作成フロー図を用いて説明する。また、仕様書作成フロー図に対応させて、図４（ｂ）に、実機による画面図表示のフロー図を示す。
まず、図４（ａ）に示すように、仕様書作成作業をスタートし、まず、固定画表示データを作成し、作成した固定画を表示するためのデータは画面データ２１ａに記憶させる（Ｓ１（ステップ１））。次に、可変画表示データを作成し、作成した可変画を表示させるためのデータは画面データ２１ａに記憶させる（Ｓ２）。ここで作成した画面データ２１ａは、客先に納品する実機に搭載させて用いることが可能な共通のデータである。
【００２８】
ここで、表示画面として、実機に正常なプラントデータが入力されることのみ想定される場合で、オフラインでデフォルトの値が入力される場合の画面図が実機の正常状態を示す画面図と同じである場合、すなわち画面データ２１ａに入力されたデータ以外を必要としていない仕様書を確認する場合（表示設定データ２２ａが無い正常画面を確認する場合）は、Ｓ３に進み、仕様書用の画面を画面出力手段１４ａから出力しモニター３１に表示させ、作業者による確認を行う（Ｓ３）。このＳ３において、図１に示した画面表示処理部１の固定画表示データ解析手段１１、可変画処理部１２におて画面表示出力データ２３を生成し、モニター３１側に画面出力手段１４ａからデータを出力させて、モニター表示を行う。
その後、仕様書用の画面イメージ（画面表示出力データ２３に相当する。）を画面データイメージ出力手段１５からプリンタ３２側に出力し、紙等に印刷出力された仕様書を得る（Ｓ４）ことで仕様書作成作業を終わる。
【００２９】
また、表示画面として、実機に、正常なプラントデータに加え、異常なプラントデータが入力されることも想定される場合、すなわち画面データ２１ａだけでなく、図１において示した表示設定データ２２ａが必要となる仕様書を確認する場合（表示設定データ２２ａが有る異常画面を確認する場合）は、Ｓ２からＳ５へ進み、客先承認用画面図の表示のために使用するデータであり、画面データ２１ａに含まれていない部分のデータ（差分データ）のみを表示設定データ２２ａとして作成し、表示設定データ記憶部２２に記憶させる（Ｓ５）。この実施の形態１では、上述したように実機表示画面と承認用画面のどちらをモニター表示するかは、表示設定データ２２ａの有無によって決められ、有りの場合は実機表示画面を、無しの場合は承認用画面を表示するものとする。
次に、画面表示処理部１において解析して得られる画面図表示データ２３をモニター３１に出力して仕様書用の画面を表示させる（Ｓ６）。さらに、仕様書用の画面をプリンタ３２によって印刷出力して仕様書を得る（Ｓ７）ことで仕様書作成作業を終わる。
【００３０】
また、図４（ｂ）に、実機の制御監視装置の動作フローを示すように、実機のフローをスタートすると、Ｓ１１に進み、画面データ２１ａを画面図表示処理部１に取り込んで固定画表示データ解析手段１１において解析し（Ｓ１１）、さらに可変画表示データの解析を可変画処理部１２において行う（Ｓ１２）。ここで、可変画処理部１２にはオンラインでプラントデータが入力され、プラントデータの値に応じて可変画が変化し、プラントデータが反映された画面表示出力データ２３が生成される。
次に、画面表示出力データ２３が画面出力手段１４ａに入力され、画面出力手段１４ａからのデータを受けてモニター３１に画面表示出力を行う（Ｓ１３）ことで実機のフローを終わる。
【００３１】
実機のフローでは、例えばプラントデータがオンライン入力される度に繰り返し更新され、プラントデータが反映された画面図を作業者が確認することが可能となる。また、実機のメモリー部に残される過去のデータをモニター３１において参照すること等も可能である。なお、実機では、表示設定データ２２ａの解析を必要としないため、画面表示処理部１の構成として、表示設定データ２２ａを解析する事象データ処理部１３を含まなくともよい。また、通常の実機の使用において、仕様書作成作業を行うことはないため、実機には、画面図作成装置には必要となる表示設定データ記憶部２２を含まなくともよいことは言うまでもない。
【００３２】
以上のように、実施の形態１の画面図作成装置は、実機投入の画面データ２１ａと別に客先承認用の画面図で使用するデータ（画面データ２１ａとの差分のみで構成される。）を表示設定データ２２ａとして構成したものであり、実機と承認用の画面図作成装置との間で画面データ２１ａの共有化をすることができ、仕様書等として用いる画面データ製作の時間削減とデータ流用性の向上を図ることが可能となり、仕様書作成を正確に行うことが可能である。
【００３３】
また、この発明の画面図作成装置を搭載した画面図表示装置を用いることで、表示設定データ２２ａで設定されたデータを反映させて承認用画面図を表示できるため、実機に投入される画面データ２１ａに、実機投入の画面図と承認用画面図との差分データを手作業によって入力して承認用画面図を表示させる場合と比べ、より短時間で正確に承認用画面図を画面図表示装置に表示させ作業者によって確認することができるという効果がある。
【００３４】
実施の形態２．
次に、この発明の実施の形態２について図５〜図７を用いて説明する。
この実施の形態２では、画面図作成装置に接続されるモニター３１において、確認可能な一つの選択画面を設けることを特徴としている。またそのための構成として、図５に画面図作成装置の構成図を示すように、実施の形態１で示した画面図作成装置に、後述する画面出力選択手段１６を追加して設けている。この実施の形態２の画面図作成装置では、画面出力選択手段１６において、画面図表示処理部１内で生成された画面表示出力データ２３をモニター３１へ表示する際に、実機投入画面または状態表示画面のいずれかを選択することを可能としている。
図５に画面図作成装置の構成図を示すように、画面表示処理部１内の、固定画表示データ解析手段１１から可変画処理部１２、事象データ処理部１３に到るまでの処理は、実施の形態１と同様である。また、画面データ２１ａと表示設定データ２２ａのデータ構成も実施の形態１と同様である。
【００３５】
画面出力選択手段１６で、選択対象となる表示画面図の一つは、実機において表示される画面データ（実機画面データ、第一の画面図。）であり、もう一つは、客先承認用として使用されるデータ（状態ＸＸＸのデータ。ＸＸＸとは、制御対象プラントの運転状態が当てはまる。第二の画面図。）であり、いずれかを作業者がモニター３１上で選択するように構成されている。
図６に選択画面の一例を示す。選択画面の名称は、状態選択ダイアログであり、作業者がモニター表示を必要とする方のデータを選択し、「選択」ボタンをクリックすることによって、データの選択が完了する。
また、選択結果画面出力手段１４ｂは、事象データが反映されたデータまたは反映されないデータを選択して読み込む処理機能が追加された手段とする。選択結果画面データイメージ出力手段１５ｂも同様の処理を追加した構成とする。
【００３６】
また、図７（ａ）に、実施の形態２による仕様書作成作業のフロー図を示すとともに、仕様書作成に対応させて図７（ｂ）に実機のフロー図を示す。
図７の仕様書作成フロー図に示すように、実施の形態１では、表示設定データ２２ａの有無によってフローが枝分かれしていたが、この実施の形態２では、表示設定データ２２ａが作成されること（承認用画面図のデータを入力しておくこと。）が前提であるため、ステップ１、ステップ２に続いて、ステップ２１で、表示設定データ２２ａを作成する（Ｓ２１）。
【００３７】
次に、選択画面において、作業者が図６に例示した選択画面において表示状態を選択する（Ｓ２２）。続いて、仕様書用の選択した状態の画面を、画面データ２１ａと表示設定データ２２ａを解析してモニター３１上に表示させ、作業者が画面図の確認を行う（Ｓ２３）。その後、仕様書用の画面をプリンタ３２によって印刷出力させる（Ｓ２４）ことで仕様書作成作業を終了する。画面データ２１ａは、実機に投入されるデータと共通であり、実機のフローにおいて、固定画および可変画の解析に用いられる。
【００３８】
以上のように、本発明の実施の形態２による画面図作成装置は、実機投入の画面図の表示と、客先承認用で使用する画面図の表示とを、画面作成ツール上でメニューにより切替えることにより、両者の関係および表示状態の確認が容易となり、画面データ製作の時間削減が図れるという効果がある。
【００３９】
実施の形態３．
以下、この発明の実施の形態３による画面図作成装置を図８〜図１０に基づいて説明する。既に説明した実施の形態１の図３（ａ）のＩＤ＝４の部品は固定画として「プラント１の状態画面」と表示させることを示していたが、図８に示す、この実施の形態３の画面図作成装置によって得られる画面図３１ｄでは、例えば図３（ａ）のＩＤ＝４の部品を固定画としてではなく可変画として取り扱い、作業者によって、制御対象となる装置の故障状態等をコメントとして任意に記入できるように構成している。図８では、コメントとして「設備Ａの故障状態―の時の画面」と記入されており、コメント内には詳細な故障状態等の情報を作業者が記入でき、より情報量の多い仕様書を作成することができる。
【００４０】
客先承認図の画面例が複数ある場合、各々の状態が画面製作後に画面管理として識別する必要があるため、図９に実施の形態３の画面図作成装置の構成を示すように、画面識別のための状態を示す状態コメント「ＸＸＸ」を、表示設定データ２２ｂの属性に付加させることで、識別容易性を向上させることができる。具体的には、同図に示すように、画面表示処理部１内に状態コメント生成手段１７を設け、表示設定データ２２ｂに状態コメントを作業者が入力できるように構成している。ここで、状態コメントは、個々の状態に対して一個の属性として、画面作成ツールの設定ダイアログ等でユーザが任意に指定、変更することが可能である。
【００４１】
また、図１０（ａ）に、実施の形態３の画面図作成装置によって仕様書を作成する場合の作業フロー図を示す。実施の形態１の作業フローとの違いは、表示設定データを作成するステップ（Ｓ５）の次に、表示設定データ内に状態コメントを生成するステップ（Ｓ３０）が組み込まれていることにあり、状態コメントを含む表示設定データ２２ｂが表示設定データ記憶部２２に記憶され、次の仕様書用の画面を表示確認するステップ（Ｓ６）と仕様書用の画面を印刷出力するステップ（Ｓ７）に、状態コメントを含む表示設定データ２２ｂが反映される。なお、実施の形態３の画面図作成装置に用いられる画面データ２１ａは、図１０（ｂ）に示すように、実機に投入される画面データ２１ａと共通となっている。
【００４２】
以上のように、客先承認図の状態コメント（状態識別子）を、表示設定データ２２ｂに指定することにより、その結果、画面データ製作の時間を削減することができ、データ流用性の向上に加えて、客先承認図の画面管理が容易となるという効果が得られる。
【符号の説明】
【００４３】
１  画面表示処理部                          １１  固定画表示データ解析手段
１２  可変画処理部                            １２ａ  可変画ロジック解析手段
１２ｂ  可変画表示データ解析手段              １３  事象データ処理部
１３ａ  事象データ解析手段                    １３ｂ  事象データ反映手段
１４  データ出力部                            １４ａ  画面出力手段
１４ｂ  選択結果画面出力手段                  １５  画面データイメージ出力手段
１５ｂ  選択結果画面データイメージ出力手段    １６  画面出力選択手段
１７  状態コメント生成手段                    ２１  画面データ記憶部
２１ａ  画面データ                            ２２  表示設定データ記憶部
２２ａ、２２ｂ  表示設定データ                ２３  画面表示出力データ
３１  モニター
３１ａ、３１ｂ、３１ｃ、３１ｄ  画面図例      ３２  プリンタ。
【図１】
2010165297.tif 000003
【図２】
2010165297.tif 000004
【図３】
2010165297.tif 000005
【図４】
2010165297.tif 000006
【図５】
2010165297.tif 000007
【図６】
2010165297.tif 000008
【図７】
2010165297.tif 000009
【図８】
2010165297.tif 000010
【図９】
2010165297.tif 000011
【図１０】
2010165297.tif 000012